(57)【特許請求の範囲】
【請求項１】
液晶表示パネルの表示領域が上下方向に分割された複数の部分領域各々の温度を検出する温度検出手段を備えた液晶表示装置であって、
前記温度検出手段による前記複数の部分領域各々における検出温度の差に基づいて前記液晶表示パネルが安定状態に至ったことを自動判別する安定状態判別手段と、
前記安定状態判別手段の判別結果に基づいて予め定められた処理を実行する安定状態判別結果対応手段と、
を具備してなることを特徴とする液晶表示装置。
【請求項２】
前記安定状態判別手段が、少なくとも前記温度検出手段による前記複数の部分領域各々における検出温度の差の所定時間における変化が所定の温度範囲内に収まっている場合に、前記液晶表示パネルが安定状態に至ったと判別してなる請求項１に記載の液晶表示装置。
【請求項３】
前記安定状態判別結果対応手段が実行する前記予め定められた処理が、前記安定状態判別手段の判別結果に応じて前記液晶表示パネルに表示させる映像を切り替える安定状態表示制御処理を含んでなる請求項１又は２のいずれかに記載の液晶表示装置。
【請求項４】
前記安定状態判別結果対応手段が実行する前記予め定められた処理が、前記安定状態判別手段により前記液晶表示パネルが安定状態に至ったと判別された場合に、所定の調整パラメータを自動調整する安定時パラメータ自動調整処理を含んでなる請求項１〜３のいずれかに記載の液晶表示装置。
【請求項５】
操作入力手段を通じた所定の操作入力に応じて、当該液晶表示装置の動作状態を所定の調整パラメータの設定を可能とする調整モードとそれ以外の非調整モードとに切り替えるモード切替手段を具備し、
前記安定状態判別結果対応手段が、前記モード切替手段により前記調整モードに切り替えられている場合にのみ前記予め定められた処理を実行してなる請求項１〜４のいずれかに記載の液晶表示装置。
【請求項６】
前記所定の調整パラメータが、前記液晶表示パネルに供給される信号の電圧に関する設定値及び前記液晶表示パネルのバックライトの出力レベルに関する設定値の一方若しくは両方を含むものである請求項４又は５のいずれかに記載の液晶表示装置。
【請求項７】
前記安定状態判別手段により前記液晶表示パネルが安定状態に至ったと判別されるまでの前記温度検出手段による前記複数の部分領域各々における検出温度の差の状態を前記液晶表示パネルに表示させる温度状態表示制御手段を具備してなる請求項１〜６のいずれかに記載の液晶表示装置。
【発明の詳細な説明】
【技術分野】
【０００１】
本発明は、液晶表示パネルの表示領域が上下方向に分割された複数の部分領域各々の温度を検出する温度検出手段（温度センサ）を備えた液晶表示装置に関するものである。
【背景技術】
【０００２】
液晶表示装置の大画面化が進む中、液晶表示装置には大サイズの液晶表示パネルが採用されることが増えている。このような大サイズの液晶表示パネルは、その表示領域に応じた特性の分布が比較的大きい。特に、液晶表示装置は、液晶表示パネルの背面側を照明するバックライト（照明手段）を備え、これが熱源となって上昇気流が生じるため、液晶表示パネルに上下方向の温度分布が生じやすい。そして、このような温度分布は、液晶表示パネルの上下方向の特性分布をより大きくし、液晶表示パネルの表示映像の画質に大きく影響する。
これに対し、昨今の液晶表示装置（特に、大型の液晶表示装置）は、液晶表示パネルの表示領域を上下方向に２つの部分領域に分割し、その部分領域ごとに独立して液晶表示パネルを駆動する駆動回路（電源回路や制御回路等）を備えるものがある。このような液晶表示装置は、さらに、上下２つの部分領域各々の温度を検出する温度センサを備えている。そして、前記駆動回路は、その温度センサで検出される上下の部分領域各々の温度に基づいて、液晶表示パネルを前記２つの部分領域各々について独立して駆動する。これにより、液晶表示パネルは、上下方向の温度分布に応じて駆動され、ムラのない適切な映像が表示される。
例えば、特許文献１には、液晶表示パネルの各部分領域の温度（表面温度）に基づいて液晶駆動電圧を制御することにより、液晶表示パネルを、複数の部分領域各々において異なる液晶駆動電圧で駆動する液晶表示装置についてが示されている。
【０００３】
一方、液晶表示装置は、各々の個体差に応じて、製造段階で各種の調整パラメータが設定される。例えば、液晶表示パネルの表示状態を確認しながら、液晶表示パネルに供給される信号の電圧に関する設定値や、液晶表示パネルのバックライトの出力レベルに関する設定値等が設定される。そして、このような調整パラメータは、液晶表示装置に通電が開始（電源投入）されてから、液晶表示パネルの温度状態が安定した状態（以下、安定状態という）になるのに十分な時間（例えば１０分〜１５分程度）が経過するまで暖機した後に設定される。これは、液晶表示装置は、前記安定状態における表示映像の画質が品質上最も重要であるため、その安定状態で適切な画質が得られるよう調整パラメータを設定するためである。
【特許文献１】特開２００３−２４８２１１号公報
【発明の開示】
【発明が解決しようとする課題】
【０００４】
ところで、液晶表示装置は、その製造ラインにおいて、液晶表示パネルが前記安定状態に達したものについて何らかの不具合が発見された場合に、一旦その通電が停止され、不具合が修正された後に再び通電が開始され、その後、引き続き製造ラインを流れる場合がある。
このように通電が一旦中断された液晶表示装置については、前記安定状態となる前にその調整パラメータが設定されることを防止する必要がある。このため、通電が一旦中断された液晶表示装置については、再度通電してから前記安定状態になるのに十分な時間だけ製造ラインから外されて暖機された後、製造ラインに復帰させるという措置がとられることが一般的である。
しかしながら、そのような措置をとるためにわざわざ通電時間を測定することは、面倒であるという問題点があった。さらに、通電の中断時間（不具合の修正に要した時間）が比較的短時間であった場合、十分に冷えた液晶表示装置と同じ時間だけ製造ラインから外して暖機することは、時間の無駄であるという問題点もあった。
また、液晶表示パネルが前記安定状態になるのに十分な暖機時間が、装置の個体差や気温等の状況によってばらつく場合、そのばらつきを考慮して十分に長い（最大の）暖機時間を確保する必要があり、実際にはそれほどの暖機時間が必要でない状況である場合は時間の無駄であるという問題点もあった。
従って、本発明は上記事情に鑑みてなされたものであり、その目的とするところは、新たな部品を極力付加することなく、液晶表示パネルが安定状態に至ったことを自動で判別できる液晶表示装置を提供することにある。
【課題を解決するための手段】
【０００５】
上記目的を達成するために本発明は、液晶表示パネルの表示領域が上下方向に分割された複数の部分領域（一般には、上下２つの部分領域）各々の温度を検出する温度検出手段を備えた液晶表示装置に適用され、以下の特徴てき構成を有するものである。
即ち、前記温度検出手段による前記複数の部分領域各々における検出温度の差に基づいて前記液晶表示パネルが安定状態に至ったことを自動判別する安定状態判別手段と、その判別結果に基づいて予め定められた処理を実行する安定状態判別結果対応手段と、を具備する液晶表示装置として構成されるものである。
例えば、前記安定状態判別手段が、少なくとも前記温度検出手段による前記複数の部分領域各々における検出温度の差の所定時間における変化が所定の温度範囲内に収まっている場合に、前記液晶表示パネルが安定状態に至ったと判別するよう構成されたものが考えられる。
液晶表示パネルは、その個体差や雰囲気温度等によって前記安定状態における温度の絶対値は異なる。しかしながら、経験上、液晶表示パネルは、前記安定状態において、その上部の温度と下部の温度との差分の変化が安定することがわかった。このため、上記の特徴的構成を有する液晶表示装置は、その個体差や気温等の状況にかかわらず、液晶表示パネルが前記安定状態に至ったことを正しく、かつ、比較的短時間で自動判別することができる。
しかも、液晶パネルの上下各々の部分領域ごとの温度を検出する温度検出手段（温度センサ）は、液晶表示パネルをその部分領域ごとに独立駆動可能に構成された大型の液晶表示装置が標準的に備えるものである。また、その検出温度に基づく判別処理も、既存の演算手段（制御部が備えるＭＰＵ等）が実行するプログラムを追加するだけで実現できる。従って、その標準装備の部品を有効活用でき、新たな部品の付加を要しない。
【０００６】
ところで、前記安定状態判別結果対応手段が実行する前記予め定められた処理としては、以下の（１）、（２）に示す処理の一方若しくは両方を含む処理が考えられる。
（１）前記安定状態判別手段の判別結果に応じて前記液晶表示パネルに表示させる映像を切り替える安定状態表示制御処理。
（２）前記安定状態判別手段により前記液晶表示パネルが安定状態に至ったと判別された場合に、所定の調整パラメータを自動調整する安定時パラメータ自動調整処理。
ここで、（１）の処理によれば、当該液晶表示装置の製造段階において、作業者は、前記安定状態に至ったか否かをその表示状態によって確認できる。これは、当該液晶表示装置の調整パラメータを作業者が手動で設定する場合に特に有効である。
また、（２）の処理は、当該液晶表示装置の調整パラメータを装置が自動設定する場合に特に有効である。
【０００７】
また、本発明に係る液晶表示装置は、操作ボタン等の操作入力手段を通じた所定の操作入力（製造ラインの作業者やメンテナンス要員専用の操作入力（利用者には非公開））に応じて、当該液晶表示装置の動作状態を所定の調整パラメータの設定を可能とする調整モードとそれ以外の非調整モードとに切り替えるモード切替手段を具備し、前記安定状態判別結果対応手段が、前記モード切替手段により前記調整モードに切り替えられている場合にのみ前記予め定められた処理を実行するよう構成されたものであればなお好適である。
これにより、調整パラメータの設定時に、通常の動作時とは異なるプログラムが記憶されたＲＯＭへの入れ替えを行ったり、特別な治具を接続したりする等の手間が省ける。
なお、前記所定の調整パラメータは、例えば、前記液晶表示パネルに供給される信号の電圧に関する設定値や、前記液晶表示パネルのバックライトの出力レベルに関する設定値等を含むものである。これらの調整パラメータは、液晶表示パネルが前記安定状態となった後に設定すべきものだからである。
また、前記安定状態判別手段により前記液晶表示パネルが安定状態に至ったと判別されるまでの前記温度検出手段による前記複数の部分領域各々における検出温度の差の状態を前記液晶表示パネルに表示させる温度状態表示制御手段を備えるものであればなお好適である。
例えば、検出温度の差に応じて表示色を変えたり、検出温度の差のトレンドグラフを表示させたりすれば、作業者は、前記安定状態に至るまでの残り時間の推定等、状況把握が容易となる。
【発明の効果】
【０００８】
本発明によれば、液晶表示装置の個体差や気温等の状況にかかわらず、液晶表示パネルが前記安定状態に至ったことを正しく、かつ、比較的短時間で自動判別することができる。しかも、その判別に用いる温度検出手段や演算手段等は、液晶表示装置が標準的に備えるものであるため、その標準装備の部品を有効活用して新たな構成要素をほとんど付加することなく実現できる。
【発明を実施するための最良の形態】
【０００９】
以下添付図面を参照しながら、本発明の実施の形態について説明し、本発明の理解に供する。尚、以下の実施の形態は、本発明を具体化した一例であって、本発明の技術的範囲を限定する性格のものではない。
ここに、図１は本発明の実施形態に係る液晶表示装置Ｘの概略構成を表すブロック図、図２は液晶表示装置Ｘが備える温度センサの配置を表す図、図３は液晶表示装置Ｘが備える液晶パネル駆動回路の概略構成を表すブロック図、図４は液晶表示装置Ｘの調整モード時の処理の手順を表すフローチャート、図５は液晶表示装置Ｘが備える温度センサの検出温度のトレンドグラフ、図６は液晶表示装置Ｘの調整モード時の表示画面例を表す図である。
【００１０】
まず、図１に示すブロック図を用いて、本発明の実施形態に係る液晶表示装置Ｘの構成について説明する。図１に示す液晶表示装置Ｘは、アンテナ等により受信されたテレビジョン放送信号に基づく映像を液晶表示パネル２１（以下、液晶パネルという）により表示するテレビジョン受像機である。
そして、液晶表示装置Ｘは、液晶パネル２１の背面を、概ね白色の光により照明する蛍光管１２（図中、ＣＦＬと表す）と、同じく液晶パネル２１の背面を、赤色の光により照明する赤色発光のＬＥＤ１３との各々を有するハイブリッド型のバックライトを備えている。なお、ここでは、液晶表示装置Ｘの構成例としてテレビジョン受像機を示すが、本発明の適用対象はこれに限る物ではなく、例えば、計算機の液晶表示装置等、液晶パネルとハイブリッド型のバックライトとを備えるものであれば、他の液晶表示装置であってもかまわない。
図１に示すように、液晶表示装置Ｘは、複数のチューナ１ａ、１ｂ、１ｃ、外部入力部２、映像切替回路３、映像処理回路４、液晶パネル駆動回路５、タイマ回路６、リモコン７、制御回路８、リモコンインターフェース（Ｉ／Ｆ）回路９、液晶パネル２１、バックライトを構成する蛍光管１２及びＬＥＤ１３、インバータ回路１４、ＬＥＤ駆動回路１５、カラーセンサ１６、明るさセンサ１７、音声切替回路１０、音声処理回路１１、アンプ２２、及びスピーカ２３等を具備して構成されている。
【００１１】
前記チューナ１ａ、１ｂ、１ｃは、各々地上波放送信号、ＢＳ衛星放送信号及びＣＡＴＶ放送信号の各々が入力され、入力された各放送信号から前記制御回路８により指示される放送チャンネルの信号を抽出（選局）するとともに、その抽出信号の検波によって映像信号及び音声信号を取り出し、その映像信号及び音声信号の各々を前記映像切替回路３及び前記音声切替回路１０各々へ伝送するものである。
また、前記外部入力部２は、外部からコンポジット方式或いはセパレート方式の映像信号及び音声信号等である外部入力映像信号及び外部入力音声信号を入力し、それらを前記映像切替回路３及び前記音声切替回路１０各々へ伝送するインターフェースである。
前記映像切替回路３は、前記チューナ１ａ、１ｂ、１ｃ各々からの映像信号及び前記外部入力部２からの映像信号を入力し、それらの映像信号のうちの任意の１つの映像信号を前記制御回路８からの指示に従って選択して出力するものである。
【００１２】
前記映像処理回路４は、前記映像切替回路３から出力された映像信号に対して各種信号処理を行うものである。例えば、映像信号から水平及び垂直同期信号の分離、その同期信号に位相同期したクロック信号の生成、映像信号からの輝度信号及び色信号の分離、所定の画質改善処理等を行い、処理後の映像信号を前記液晶パネル駆動回路５に出力する。
液晶パネル駆動回路５は、映像処理回路４から伝送されてくる映像信号に基づいて液晶パネル２１を駆動し、その映像信号に対応する映像を液晶パネル２１に表示させる回路である。この液晶パネル駆動回路５のより詳細な構成については後述する。
【００１３】
前記制御回路８は、演算手段であるＭＰＵ８ａ、そのＭＰＵ８ａによって実行される制御プログラムが予め格納される記憶手段であるＲＯＭ８ｂ（ＥＰＲＯＭ）、前記ＭＰＵ８ｂが実行する処理において読み書き（参照又は書き込み）される設定情報を記憶するＥＥＰＲＯＭ８ｃ等を備え、当該液晶表示装置Ｘ全体を制御するものである。
前記タイマ回路６は、時刻の計時や、制御回路８により指定された時間の計時を行うものである。タイマ回路６の計時結果は、制御回路８に伝送される。
前記リモコンインターフェース回路９は、当該液晶表示装置Ｘの操作用のリモコン７（リモート操作器）から、赤外線伝送等の無線伝送によって前記リモコン７に対する操作入力情報を取得し、その操作入力情報を前記制御回路８に出力するものである。
例えば、チャンネル選択が行われる場合、前記リモコン７のチャンネル選択キーに対する操作入力の情報が、前記リモコンインターフェース回路９を通じて前記制御回路８に入力され、その操作入力情報に従って、前記制御回路８により、前記チューナ１ａ、１ｂ、１ｃのいずれかに対して選局するチャンネルが指定されるとともに、そのチャンネルの映像が前記液晶パネル２１に表示されるように前記映像切替回路３が制御される。
同様に、音量調節が行われる場合、前記リモコン７の音量ボリューム調節キー（音量のアップキーとダウンキー）に対する操作入力情報に従って、前記制御回路８から前記アンプ２２に対して出力音量の調節指令が出力され、その指令に従って前記アンプ２２により前記スピーカ２３に対する出力音量が調節される。
【００１４】
前記音声切替回路１０は、前記チューナ１ａ、１ｂ、１ｃ各々からの音声信号及び前記外部入力部２からの音声信号が入力され、それらの音声信号のうちの任意の１つの音声信号を、前記制御回路８からの指示に従って前記音声処理回路１１に出力するものである。
前記音声処理回路１１は、前記制御回路８からの指示に従って、前記音声切替回路１０から出力された音声信号に対して各種信号処理を行うものである。例えば、前記スピーカ２３の特性に合わせたイコライズ処理や、サラウンド処理等を行う。
前記アンプ２２は、前記音声処理回路１１による処理後の音声信号を、前記制御回路８からの指示に従って増幅或いは減衰させる処理を行い、前記スピーカ２３に出力するものである。
また、前記液晶パネル２１は、映像処理回路４から出力される映像信号に基づく映像を表示するものである。
また、前記明るさセンサ１７は、液晶パネル２１の前面側の明るさ（液晶表示装置Ｘの設置環境の明るさ）を検知するセンサであり、前記カラーセンサ１６は、液晶パネル２１の背面側における光の色分布（Ｒ、Ｇ、Ｂの分布）を検知するセンサである。これらのセンサは、後述するように、蛍光管１２やＬＥＤ１３の明るさ（出力）制御に用いられる。
【００１５】
液晶パネル２１のバックライト（背面照明手段）を構成する蛍光管１２は、赤、緑及び青の各波長の光の合成光である概ね白色の光を発光するものであり、複数の蛍光管が配列されて構成されている。また、同じくバックライトを構成するＬＥＤ１３は、赤色波長の光を発光する赤色ＬＥＤであり、複数の蛍光管１２の間等に複数配列されて構成されている。
蛍光管１２は、前記インバータ回路１４（図中、ＩＮＶ回路と示す）により駆動され、インバータ回路１４は、制御回路８から出力される制御指令に従って、蛍光管１２への供給電力を調節する。具体的には、制御回路８からインバータ回路１４に対して矩形波状のパルス信号が出力され、そのパルス信号のデューティー比に応じたデューティー比を有するパルス状の駆動電圧が蛍光管１２に供給される。そして、制御回路８がインバータ回路１４に出力するパルス信号のデューティー比を調節することにより、ＰＷＭ（Pulse Width Modulation：パルス幅階調)調光による蛍光管１２の明るさ調節が行われる。これにより、蛍光管１２の点灯、消灯及び明るさの制御が行われる。
一方、ＬＥＤ１３（赤色ＬＥＤ）は、前記ＬＥＤ駆動回路１５により駆動され、ＬＥＤ駆動回路１５が、制御回路８から出力される制御指令に従って、ＬＥＤ１３に対する供給電流を調節することにより、電流調光方式によるＬＥＤ１３の明るさ調節が行われる。これにより、ＬＥＤ１３の点灯、消灯及び明るさの制御が行われる。
【００１６】
さらに、液晶表示装置Ｘは、液晶パネル２１の表示領域が上下方向にほぼ２等分にされた２つの部分領域各々の温度を検出する２つの温度センサ１８ａ、１８ｂを備えている。これら温度センサ１８ａ、１８ｂは、例えばサーミスタ等である（温度検出手段の一例）。これら２つの温度センサ１８ａ、１８ｂの検出温度は、制御回路８に入力される。
図２に、２つの温度センサ１８ａ、１８ｂの配置位置を示す。図２に示すように、２つの温度センサ１８ａ、１８ｂは、液晶パネル２１の背面に設けられた筐体２１ａ内に設けられ、上下に２分割されたうちの液晶パネル２１の上側の表示領域（部分領域）の背面に一方の温度センサ１８ａが、同下側の表示領域（部分領域）の背面にもう一方の温度センサ１８ｂが配置されている。これにより、温度センサ１８ａ、１８ｂ各々によって液晶パネル２１の上半分の表示領域及び下半分の表示領域各々の温度が検出される。
そして、制御回路８は、上側の温度センサ１８ａの検出温度に基づいて、液晶パネル駆動回路５から液晶パネル２１の上側の表示領域（部分領域）に配置された液晶素子に対して出力される駆動信号の電圧（以下、階調電圧という）を補正する。同様に、制御回路８は、下側の温度センサ１８ｂの検出温度に基づいて、液晶パネル駆動回路５から液晶パネル２１の下側の表示領域に配置された液晶素子に対して出力される駆動信号の電圧（階調電圧）を補正する。これにより、特許文献１に示される液晶表示装置と同様に、液晶パネル２１が、上下２つの領域各々において異なる駆動電圧で駆動される。
【００１７】
次に、図３に示すブロック図を参照しつつ、液晶パネル駆動回路５の構成について説明する。
図３に示すように、液晶パネル駆動回路５は、パネル電力供給回路５１、２つの階調基準電源５２ａ、５２ｂ、２組の液晶コントローラ（５３ａＬと５３ａＲ）、（５３ｂＬと５３ｂＲ）、２組のソースドライバ（５４ａＬと５４ａＲ）、（５４ｂＬと５４ｂＲ）、２組のゲートドライバ５５ａ、５５ｂを備えている。
ソースドライバ５４ａＬ、５４ａＲ、５４ｂＬ、５４ｂＲは、液晶パネル２１にアレイ状に配列された液晶素子のうち、１行分の液晶素子に対し、映像の各色（Ｒ、Ｇ、Ｂ）の輝度に応じたレベルの信号（以下、輝度調節信号という）を供給するものである。本実施形態では、液晶パネル２１の表示領域全体のうち、上側半分の表示領域（部分領域）の液晶素子に対して輝度調節信号を供給する１組のソースドライバ５４ａＬ、５４ａＲと、下側半分の表示領域（部分領域）の液晶素子に対して輝度調節信号を供給する１組のソースドライバ５４ｂＬ、５４ｂＲとが独立して設けられている。さらに、上側の２つのソースドライバ５４ａＬ、５４ａＲは、液晶パネル２１の上側の表示領域のうち、左側半分の領域と右側半分の領域との各々について独立して輝度調節信号のレベルを調節可能に構成されている。同様に、下側の２つのソースドライバ５４ｂＬ、５４ｂＲも、液晶パネル２１の下側の表示領域のうち、左側半分の領域と右側半分の領域との各々について独立して輝度調節信号のレベルを調節可能に構成されている。
【００１８】
ゲートドライバ５５ａ、５５ｂは、映像信号の走査タイミングに同期したパルス信号を液晶パネル２１に対して出力するものである。これにより、ソースドライバ５４ａ、５４ｂによって何ライン目の液晶素子に信号供給を行うかを制御する。このゲートドライバ５４ａ、５４ｂも、液晶パネル２１の上側半分の表示領域（部分領域）の何ライン目の液晶素子に対して信号を供給するかを制御する上側のゲートドライバ５５ａと、下側半分の表示領域（部分領域）の何ライン目の液晶素子に対して信号を供給するかを制御する下側のゲートドライバ５５ｂとが独立して設けられている。
液晶コントローラ５３ａＬ、５３ａＲ、５４ｂＬ、５４ｂＲは、前記映像処理回路４から供給される映像信号を、ソースドライバ５４ａＬ、５４ａＲ、５４ｂＬ、５４ｂＲに対して中継伝送するとともに、それらソースドライバの動作を制御するものである。この４つの液晶コントローラ５３ａＬ、５３ａＲ、５４ｂＬ、５４ｂＲは、４つのソースドライバ５４ａＬ、５４ａＲ、５４ｂＬ、５４ｂＲ各々と１対１に対応して独立して設けられている。
【００１９】
パネル電力供給回路５１は、ソースドライバ５４ａ、５４ｂに対し、複数段階の電圧レベルの信号からなる階調電圧信号ＶＬＳ（アナログ信号）、信号ＯＮ／ＯＦＦのタイミングを制御するデジタル信号ＶＳＨ、共通電極駆動信号ＶＣＯＭ等を出力する回路である。このため、階調電圧信号ＶＬＳを生成するＶＬＤ電源電圧回路５１ａ、及び共通電極駆動信号ＶＣＯＭを生成するＶＣＯＭ電圧回路５１ｂを備えている。
さらに、パルス電力供給回路５１は、ゲートドライバ５５ａ、５５ｂに対し、そのゲートドライバ５５ａ、５５ｂが出力するパルス信号の基準電圧となる液晶ゲート信号ＶＧＨ（Ｈｉｇｈ信号）、ＶＧＬ（Ｌｏｗ信号）を出力する回路も備えている。
階調基準電源５２ａ、５２ｂは、ソースドライバ５４ａ、５４ｂに対し、階調電圧信号ＶＬＳの最大レベル及び最小レベルを定める信号である階調基準電圧信号ＶＨ（最大）、ＶＬ（最小）を出力する。この階調基準電源５２ａ、５２ｂは、制御回路８から入力されるＧＲＡＹＬＥＶＥＬ値に基づいて、階調基準電圧信号ＶＨ、ＶＬのレベルを調節する。
液晶パネル２１における各色の表示輝度（映像の輝度）は、ソースドライバ５４ａＬ、５４ａＲ、５４ｂＬ、５４ｂＲが液晶素子に出力する信号のレベルによって定まり、その液晶素子に出力される信号のレベルは、前記階調電圧信号ＶＬＳの電圧レベルと、階調基準電圧信号ＶＨ、ＶＬの電圧レベルとによって定まる。
【００２０】
図３に示したように、液晶表示装置Ｘの液晶パネル２１の表示領域は、上下方向に２つの部分領域に分割され、液晶パネル駆動回路５が、その部分領域ごとに独立して液晶パネル２１を駆動する。
さらに、前記制御回路８は、液晶パネル駆動回路５を制御することにより、温度センサ１８ａ、１８ｂで検出される上下の部分領域各々の温度に基づいて、液晶パネル２１を上下２つの部分領域各々について異なる電圧レベルの信号で駆動する。例えば、制御回路８は、上側の温度センサ１８ａの検出温度に基づいて、階調基準電源５２ａに出力するＧＲＡＹＬＥＶＥＬ値を、予め定められた基準値から補正する。同様に、制御回路８は、下側の温度センサ１８ｂの検出温度に基づいて、階調基準電源５２ｂに出力するＧＲＡＹＬＥＶＥＬ値を、予め定められた基準値から補正する。これにより、映像信号に応じて液晶素子各々に供給される信号のレベルが、上側の表示領域については上側の温度センサ１８ａの検出温度に応じて補正され、下側の表示領域については下側の温度センサ１８ｂの検出温度に応じて補正される。その結果、環境温度が変化しても、表示映像の画質が良好に維持される。
【００２１】
次に、図５を参照しつつ、液晶パネル２１への通電開始後の温度センサ１８ａ、１８ｂの検出温度Ｔａ、Ｔｂの変化について説明する。なお、ここでは、液晶パネル２１への通電が開始されると、併せてバックライトを構成する蛍光管１２及びＬＥＤ１３に対する通電も開始されるものとする。
液晶パネル２１への通電が開始されると、上側の温度センサ１８ａの検出温度Ｔａ及び下側の温度センサ１８ｂの検出温度Ｔｂの両方が上昇する。しかし、その上昇の勾配は、検出温度Ｔａの方が急勾配であり、両温度の差ΔＴ（Ｔａ−Ｔｂ）は、時間の経過とともに大きくなる。これは、バックライト１２、１３やその他の電子部品が発熱することにより、液晶パネル２１の周辺で上昇気流が生じ、より高温の空気が液晶パネル２１周辺の上部に移動するためである。
しかしながら、通電開始後、ある程度の時間が経過すると、両検出温度Ｔａ、Ｔｂの上昇はほとんどなくなり、温度差ΔＴはほとんど変化しなくなる。この状態が、液晶パネル２１が温度的に安定した状態（安定状態）である。
ここで、液晶パネル２１が安定状態に至るまでの時間や、安定状態に至ったときの各温度Ｔａ、Ｔｂの到達温度（飽和温度）等は、気温等の条件ごとに比較的大きく変動し得る。一方、液晶パネル２１が安定状態に至った以降の両検出温度Ｔａ、Ｔｂの差ΔＴbalは、気温等の条件の影響を受けにくい。
また、両検出温度Ｔａ、Ｔｂの差ΔＴがほとんど変化しない状態が所定時間ｔbal以上継続した状況では、ほぼ確実に液晶パネル２１が温度的に安定した状態であるといえる。
液晶表示装置Ｘは、この図５に示すような温度特性を利用して、液晶パネル２１が安定状態に至ったか否かを判別するものである。
【００２２】
続けて、図４に示すフローチャートを参照しつつ、制御回路８のＭＰＵ８ｃが所定の制御プログラムを実行することにより実現される調整モード時の処理の手順について説明する。なお、図４に示す処理は、リモコン７操作等により、当該液晶表示装置Ｘが起動（電源ＯＮ）され、液晶パネル２１が通電された状態になることにより開始するものとする。また、以下に示すＳ１、Ｓ２、…は、処理手順（ステップ）の識別符号を表す。
［ステップＳ１］
まず、制御回路８は、作業者がリモコン７に対して当該液晶表示装置Ｘを調整モードに移行させる操作を行ったか否かを監視する（Ｓ１）。この処理は、リモコンインターフェース回路９を通じて、予め定められた操作入力信号が入力されたか否かを判別することによって行う。
ここで、調整モードとは、所定の調整パラメータの設定を可能とする動作モードである。制御回路８は、リモコン７（操作入力手段の一例）を通じた所定の操作入力に応じて、当該液晶表示装置Ｘの動作状態を、前記調整モードとそれ以外の動作モード（非調整モード）とに切り替えるモード切替機能を備えている（モード切替手段の一例）。なお、ここでいう調整モードは、液晶表示装置Ｘの利用者（視聴者）がパラメータを設定する動作モードではなく、製造ラインの作業者やメンテナンス要員専用に設けられた動作モードである。従って、この調整モードへの切り替え用の操作入力は、複数ボタンの同時操作等の特殊な操作入力であり、一般の利用者には公開されていない。
制御回路８は、前記調整モードに切り替えられている場合にのみ、以下に示す調整モード時の処理（Ｓ２〜Ｓ１７、予め定められた処理の一例）を実行する。
【００２３】
［ステップＳ２、Ｓ３］
そして、制御回路８は、調整モードへの移行操作が行われたと判別すると、映像処理回路４を制御することにより、液晶パネル２１に調整モード用画面を、例えばＯＳＤ画面等により表示させる（Ｓ２）。
図６は、前記調整モード用画面の一例である。但し、このステップＳ２で表示される情報は、「調整モード中」というタイトルｇ１と、そのタイトルｇ１の表示色に関する凡例ｇ２、後述する各種の数値情報に関する項目名ｇ３等である。なお、タイトルｇ１は、初期値として予め定められた表示色で表示される。
さらに、制御回路８は、予め定められた時間（例えば、５分程度）を前記タイマ回路６に設定することにより、タイマ回路６による計時を開始させる（Ｓ３）。
【００２４】
［ステップＳ４、Ｓ５］
次に、制御回路８は、２つの温度センサ１８ａ、１８ｂの検出温度Ｔａ（上側）、Ｔｂ（下側）を取得し、それらの温度差ΔＴを算出するとともに、映像処理回路４を制御することにより、その温度差ΔＴの値を前記調整モード用画面（図６参照）における所定位置に表示させる（Ｓ４）。
さらに、制御回路８は、現状の温度差ΔＴが、予め定められた上限温度を超えているか否かを判別し（Ｓ５）、上限温度を超えていると判別した場合には、所定のエラー処理を行う（Ｓ２０）。
このエラー処理は、例えば、制御回路８が音声処理回路１１を制御することにより、所定のビープ音をスピーカ２３を通じて出力させる処理、及び、制御回路８が映像処理回路４を制御することにより、所定のエラーメッセージを液晶パネル２１に表示させる処理が考えられる。
そして、制御回路８は、エラー処理（Ｓ２０）の実行後、リモコン７に対して調整モードの解除操作がなされたことを検知した際に、調整パラメータを設定する処理（Ｓ１３〜Ｓ１７）をスキップし、処理を後述するステップＳ１８へ移行させる。
これにより、温度センサ１８ａ、１８ｂの異常等により、温度差ΔＴが、通常では考えられない程大きな値になった場合に、そのような異常な検出温度に基づいて調整パラメータが誤って設定されることを防止できる。
【００２５】
［Ｓ６、Ｓ７］
一方、制御回路８は、ステップＳ５で温度差ΔＴが異常でないと判別すると、さらに、現状の温度差ΔＴが、予め定められた複数個（ｎ−１個）の温度のしきい値で区分されるｎ段階（例えば、５段階程度）の温度レベル（レベル１〜レベルｎ）のいずれに属するかを判別（評価）する（Ｓ６）。例えば、ΔＴが、５℃未満であればレベル１、５℃以上１０℃未満であればレベル２、１０℃以上１５℃未満であればレベル３、・・・などと判別する。
さらに、制御回路８は、ステップＳ６で判別（評価）した温度差ΔＴのレベルに基づいて、前記調整モード用画面（図６参照）におけるタイトルｇ１の表示色をどのような色にするかを設定するとともに、その表示色を「次の表示色」として主記憶領域等に記憶させる（Ｓ７）。
タイトルｇ１の表示色は、温度差ΔＴのレベルごとに異なる色が、予め制御回路８のＲＯＭ８ｂ等に記憶されている。例えば、レベル１ならば赤色、レベル２ならば黄色、レベル３ならば緑色、・・・などと定められている。
【００２６】
［ステップＳ８、Ｓ９、Ｓ１０、Ｓ１１］
次に、制御回路８は、ステップＳ７で記憶させた「次の表示色」と、既に主記憶領域等に記憶されている「現状の表示色」との比較により、タイトルｇ１の表示色に変化があるか否か（即ち、温度差ΔＴのレベルに変化があるか否か）を判別する（Ｓ８）。なお、調整モード時の処理の開始後１回目は、必ず変化ありと判別する。
そして、制御回路８は、タイトルｇ１の表示色に変化があると判別すると、映像処理回路４を制御することにより、前記調整モード用画面（図６参照）におけるタイトルｇ１の表示色を、ステップＳ７で判別した表示色に更新する（Ｓ９）とともに、主記憶領域等に記憶されている「現状の表示色」を、ステップＳ７で判別した表示色に更新する（Ｓ１０）。
さらに、制御回路８は、予め定められた時間（ステップＳ３での設定時間と同じ時間）を前記タイマ回路６に設定することにより、タイマ回路６による計時を最初から開始（リスタート）させ（Ｓ１１）、その後、処理を前述したステップＳ４へ移行させる。
【００２７】
［ステップＳ１２］
一方、制御回路８は、ステップＳ８でタイトルｇ１の表示色に変化がないと判別すると、タイマ回路６による計時時間が、ステップＳ３又はＳ１１でタイマ回路６に設定した時間を経過しているか否かを判別する（Ｓ１２）。
制御回路８によるステップＳ１２の処理は、温度センサ１８ａ、１８ｂの検出温度の差ΔＴの変化が、所定時間（例えば５分）内に所定の温度範囲内（温度レベルを判別する上下のしきい値（温度）の範囲内）に収まっているか否かを判別する処理である。ここで、制御回路８は、タイトルｇ１の表示色の変化がない状態が所定時間以上継続したこと、即ち、温度差ΔＴの所定時間における変化が所定の温度範囲内に収まっていることをもって、液晶パネル２１が温度的に安定状態に至ったと自動的に判別する（安定状態判別手段の一例）。
ここで、制御回路８によるステップＳ７〜Ｓ１１の処理は、ステップＳ１２で液晶パネル２１が安定状態に至ったと判別されるまでにおいて、温度センサ１８ａ、１８ｂによる液晶パネル２１の上下の各表示領域（部分領域）における検出温度の差ΔＴの状態（レベル）の変遷を、液晶パネル２１に表示させる処理である（温度状態表示制御手段の一例）。これにより、作業者は、液晶パネル２１が安定状態に至るまでの残り時間の推定等、状況把握が容易となる。
【００２８】
［ステップＳ１３、Ｓ１４］
次に、制御回路８は、ステップＳ１２において、液晶パネル２１が安定状態に至ったと判別すると、映像処理回路４を制御することにより、液晶パネル２１に表示させるタイトルｇ１の映像を、元の静止状態から点滅する状態に切り替える（Ｓ１３、安定状態判別結果対応手段及び安定状態表示制御処理の一例）。これにより、作業者は、液晶パネル２１が安定状態に至ったことを一見して把握できる。この他、タイトルｇ１の表示色を、温度差ΔＴのレベルごとに設定された表示色と異なる表示色に切り替えることや、安定状態に達した旨の文字情報を液晶パネル２１に別途表示させること等も考えられる。
さらに、制御回路８は、液晶パネル２１が安定状態に至った現状の温度差ΔＴに基づいて、当該調整モードにおいて調整対象となる調整パラメータの値を自動的に仮設定するとともに、その仮設定した値を前記調整モード用画面（図６参照）における所定位置に表示させる（Ｓ１４）。例えば、制御回路８は、予め温度差ΔＴのレベル（レベル１〜レベルｎ）ごとに定められた調整パラメータの候補値をＥＥＰＲＯＭ８ｃ等に記憶しておき、その候補値の中から、現状の温度差ΔＴのレベルに対応するものを選択することによって調整パラメータの値を仮設定する。或いは、温度差ΔＴから調整パラメータの値を求める所定の計算式を予め記憶しておき、その計算式に現状の温度差ΔＴを適用して得た値を、調整パラメータの値として仮設定する。
【００２９】
ここで、調整モードで設定可能とする調整パラメータとしては、図６に例示するように、パネル電力供給回路５１からソースドライバ５４ａ、５４ｂに対して出力される共通電極駆動信号ＶＣＯＭの基準となる電圧値や、同じくパネル電力供給回路５１からソースドライバ５４ａ、５４ｂに対して出力される階調電圧信号ＶＬＳ、或いは階調基準電源５２ａ、５２ｂが階調基準電圧信号ＶＨ、ＶＬのレベルを調節するために用いるＧＲＡＹＬＥＶＥＬ値等が考えられる。
また、図６には示していないが、液晶パネル２１に供給されるＲ、Ｇ、Ｂの各色の前記輝度調節信号の電圧のバランスを規定する設定値も考えられる。この設定値により、映像のホワイトバランスが調整される。
これらは、いずれも液晶パネル２１に供給される信号の電圧に関する調整パラメータの設定値であり、液晶パネル２１の温度状態の影響を受けやすく、液晶パネル２１が温度的に安定状態となった後に設定すべきものだからである。
また、図６には示していない他の調整パラメータとして、液晶パネル２１のバックライト１２、１３の出力レベルに関する設定値も考えられる。
前述したように、赤色のＬＥＤ１３は、制御回路８により、カラーセンサ１６により検知されるＲＧＢの色分布に基づいて、その色バランスが目標とするホワイトバランスに近づくように制御される。このバックライトによるホワイトバランス制御の目標値（ホワイトバランスの目標値）を、調整モードにおける調整パラメータに含めることが考えられる。
このホワイトバランスの目標値も、液晶パネル２１が安定状態となった後に設定すべきものだからである。
なお、これら調整パラメータは、電圧の設定値（基準値）やホワイトバランスの目標値そのものの他、それらを補正する補正値（オフセット値）や補正係数である場合も考えられる。
【００３０】
［ステップＳ１５、Ｓ１６、Ｓ１７］
次に、制御回路８は、作業者がリモコン７に対して所定の確定操作を行ったか、或いはキャンセル操作を行ったかを判別する（Ｓ１５）。この処理は、リモコンインターフェース回路９を通じて、予め定められた操作入力信号が入力されたか否かを判別することによって行う。なお、図６に示す調整モード用画面の例では、「設定しますか？」という質問項目において、「Ｙ」を選択する操作が確定操作を表し、「Ｎ」を選択する操作がキャンセル操作を表す。
ここで、制御回路８は、確定操作がなされたと判別すると、ステップＳ１４で仮設定した調整パラメータの設定値を、以後の制御に用いる設定値として設定（ＥＥＰＲＯＭ８ｃ等に記憶）し（Ｓ１６）、その後、処理をステップＳ１８へ移行させる。
一方、制御回路８は、キャンセル操作がなされたと判別すると、調整パラメータの手入力設定処理を実行し（Ｓ１７）その後、処理をステップＳ１８へ移行させる。このステップＳ１７の処理は、リモコン７（操作入力手段）を通じた操作入力に従って、調整パラメータの値を設定する処理である。例えば、制御回路８は、図６に示す調整モード用画面において、各調整パラメータの設定値の表示部に入力用カーソルを移動させ、リモコン７の数値キー操作に従って各調整パラメータの値を設定する。これにより、作業者は、液晶パネル２１の安定状態の確認後、調整パラメータを手動設定できる。
そして、ステップＳ１８において、制御回路８は、調整モードの動作状態を解除し（Ｓ１８）、その後、処理を前述したステップＳ１に移行させる。
【００３１】
以上に示した液晶表示装置Ｘは、液晶パネル２１が安定状態に至ったと判別した際（Ｓ１２のＹ側）に、調整パラメータの値を仮設定（Ｓ１４）した上で、最終的な値の設定は、作業者の判断に委ねる半自動処理を行うものであったが、これに限るものではない。
例えば、制御回路８は、液晶パネル２１が安定状態に至ったと判別した際（Ｓ１２のＹ側）に、調整パラメータの値を自動設定（自動調整）する処理（安定時パラメータ自動調整処理の一例）を行うよう構成されたものであってもよい。この場合、例えば図４に示す処理において、ステップＳ１５及びＳ１７の処理を省略すればよい。
或いは、液晶パネル２１が安定状態に至ったと判別した際の調整パラメータの値の設定を、全て作業者に委ねる構成も考えられる。この場合、例えば図４に示す処理において、ステップＳ１４〜Ｓ１６の処理を省略し、ステップＳ１３からステップＳ１７へ移行させるよう構成すればよい。
また、前述した実施形態では、液晶パネル２１が安定状態に至ったと判別されるまでの温度差ΔＴの状態表示や、安定状態に至ったことを表す旨の表示を、タイトルｇ１の表示色や表示状態（点滅させるか否か）の切り替えにより行う例を示したが、これに限らず、各状態に対応する文字情報を液晶パネル２１に表示させるよう構成したものも考えられる。
【産業上の利用可能性】
【００３２】
本発明は、テレビジョン受像機に利用可能である。
【図面の簡単な説明】
【００３３】
【図１】本発明の実施形態に係る液晶表示装置Ｘの概略構成を表すブロック図。
【図２】液晶表示装置Ｘが備える温度センサの配置を表す図。
【図３】液晶表示装置Ｘが備える液晶パネル駆動回路の概略構成を表すブロック図。
【図４】液晶表示装置Ｘの調整モード時の処理の手順を表すフローチャート。
【図５】液晶表示装置Ｘが備える温度センサの検出温度のトレンドグラフ。
【図６】液晶表示装置Ｘの調整モード時の表示画面例を表す図。
【符号の説明】
【００３４】
Ｘ…液晶表示装置
１ａ、１ｂ、１ｃ…チューナ
２…外部入力部
３…映像切替回路
４…映像処理回路
５…液晶パネル駆動回路
６…タイマ回路
７…リモコン
８…制御回路
９…リモコンインターフェース回路
１０…音声切替回路
１１…音声処理回路
１２…蛍光管（バックライト）
１３…ＬＥＤ（バックライト）
１４…インバータ回路
１５…ＬＥＤ駆動回路
１６…カラーセンサ
１７…明るさセンサ
１８ａ、１８ｂ…温度センサ
２１…液晶パネル
５１…パネル電力供給回路
５１ａ…ＶＬＳ電源電圧回路
５１ｂ…ＶＣＯＭ電圧回路
５２ａ、５２ｂ…階調基準電源
５３ａＬ、５３ａＲ、５３ｂＬ、５３ｂＲ…液晶コントローラ
５４ａＬ、５４ａＲ、５４ｂＬ、５４ｂＲ…ソースドライバ
５５ａＬ、５５ａＲ、５５ｂＬ、５５ｂＲ…ゲートドライバ
Ｓ１、Ｓ２、・・…ステップ（処理手順）
【図１】
0004711847.tif 000002
【図２】
0004711847.tif 000003
【図３】
0004711847.tif 000004
【図４】
0004711847.tif 000005
【図５】
0004711847.tif 000006
【図６】
0004711847.tif 000007